(57)【要約】【課題】簡単に組み立て可能あって、十分な強度を有し、使い勝手がよく、洗浄することなく使い捨てすることが可能な挟み具の提供である。【解決手段】シート部材を折り曲げて組み立てる挟み具１であって、連結板２の相対向する方向に第一折曲部Ｌ１を介して把持板３を有し、当該把持板３は、連結板２側に操作部４と、先端側に挟み部５とを有するものであって、第一折曲部Ｌ１は把持板３側へ膨出する形状である。【選択図】図１
0003216926.tif 000002
【実用新案登録請求の範囲】
【請求項１】
シート部材を折り曲げて組み立てる挟み具であって、連結板の相対向する方向に第一折曲部を介して把持板を有し、当該把持板は、連結板側に操作部と、先端側に挟み部とを有するものであって、前記第一折曲部は把持板側へ膨出する形状であることを特徴とする挟み具。
【請求項２】
前記把持板は、第二折曲部を介して右側部と左側部とを有することを特徴とする、請求項１に記載する挟み具。
【請求項３】
前記第二折曲部は操作部から挟み部へ向かう方向へ延び、かつ外縁側から内側へ膨出する形状であることを特徴とする、請求項２に記載する挟み具。
【請求項４】
前記把持板は、前記右側部と前記左側部とを連結する係合板を有することを特徴とする、請求項２又は請求項３に記載する挟み具。
【請求項５】
前記把持板は、操作部から挟み部へ向かう方向へ延びる押罫部を有することを特徴とする、請求項１から請求項４に記載する挟み具。
【考案の詳細な説明】
【技術分野】
【０００１】  本考案は、シート材を折り曲げて組み立てて使用する挟み具に関する。
【背景技術】
【０００２】  従来、挟み具としては、食品を挟むためのものや、清掃用具としてゴミ拾いに使用するもので、その全体をステンレス鋼材又は鉄材あるいは合成樹脂を所定形状に構成するものが知られている。【０００３】
【先行技術文献】
【特許文献】
【０００４】
【特許文献１】特許公開２００３−２２５１７２号公報
【特許文献２】実用新案登録３１４６７２５号公報
【考案の開示】
【考案が解決しようとする課題】
【０００５】  これら従来技術においては、使用後に洗浄して長期間繰り返し使用することを前提としている。しかしながら、繰り返し使用している間に傷が付いた部分や複雑な構造部分は十分に洗浄することが難しく、雑菌が繁殖しやすくなるという問題がある。【０００６】  本考案は前記課題に鑑みてなされたものであって、簡単に組み立て可能あって、十分な強度を有し、使い勝手がよく、洗浄することなく使い捨てすることが可能な挟み具の提供を課題とする。
【課題を解決するための手段】
【０００７】  本考案の解決しようとする課題は以上の如くであり、次にこの課題を解決するための手段を説明する。【０００８】  第１の考案では、シート部材を折り曲げて組み立てる挟み具であって、連結板の相対向する方向に第一折曲部を介して把持板を有し、当該把持板は、連結板側に操作部と、先端側に挟み部とを有するものであって、前記第一折曲部は把持板側へ膨出する形状であることを特徴とする挟み具である。【０００９】  第２の考案では、第１の考案であって、前記把持板は、第二折曲部を介して右側部と左側部とを有することを特徴とする挟み具である。【００１０】  第３の考案では、第２の考案であって、前記第二折曲部は操作部から挟み部へ向かう方向へ延び、かつ外縁側から内側へ膨出する形状であることを特徴とする挟み具である。【００１１】  第４の考案では、第２又は第３の考案であって、前記把持板は、前記右側部と前記左側部とを連結する係合板を有することを特徴とする挟み具である。【００１２】  第５の考案では、第１から第４の考案であって、前記把持板は、操作部から挟み部へ向かう方向へ延びる押罫部を有することを特徴とする挟み具である。
【考案の効果】
【００１３】  本考案による挟み具は、簡単に組み立て可能あって、十分な強度を有し、使い勝手がよく、使い捨てが可能である。
【図面の簡単な説明】
【００１４】
【図１】挟み具の展開体を示す平面図。
【図２】挟み具の組立工程を示す部分平面図。
【図３】挟み具の組み立てが完成した状態を示す斜視図。
【図４】（ａ）は挟み具を開いた状態、（ｂ）は挟み具を閉じた状態を示す正面図。
【考案を実施するための形態】
【００１５】  本考案の実施形態に係る挟み具１について、図１から図４を用いて説明する。説明にあたり、左右方向を短手方向、上下方向を長手方向として説明する。また、組立完成状態における物品を挟む側を内側、他方を外側として説明する。
【００１６】  本考案の挟み具１は、食品を挟んで取り分けたり、清掃時にゴミを挟んで拾い上げることができる挟み具である。
挟み具１は、図１に示す展開体を折り曲げて組み立てることで図３に示す組立完成状態となる。
挟み具１は、板紙を用いて作成されるものであるが、段ボールシートやプラスチックシートなど他の板状部材を用いて作成することもできる。
【００１７】  まず、挟み具１の構成について、図１、図２に従って説明する。
【００１８】  展開体の連結板２の上下側には夫々第一折曲部Ｌ１を介して把持板３を連設している。
把持板３は組立完成状態において、連結板２を介して互いに対向する部分である。把持板３の連結板２側には操作部４を有し、先端側には挟み部５を有している。操作部４は、組立完成状態において挟み部５の開閉を操作する部分である。
本実施形態において、第一折曲部Ｌ１は、把持板側へ膨出する湾曲した形状である。
【００１９】  把持板３は二本の第二折曲部Ｌ２を介して右側部６ａと左側部６ｂとを有する。右側部６ａ、左側部６ｂは組立完成状態において、把持板３の側面を形成する部分である。
本実施形態において、第二折曲部Ｌ２は操作部４から挟み部５へ向かう方向へ延び、かつ外縁側から内側へ膨出する湾曲した形状である。
【００２０】  また、把持板３は右側部６ａ及び左側部６ｂから延在する係合板７を有する。係合板７は組立完成状態において、右側部６ａ及び左側部６ｂを連結する部分である。本実施形態において、係合板７は長手方向中間部の外端縁を略Ｊ字形状に切り込んでいる。
【００２１】  また、把持板３は、２本の第二折曲部Ｌ２の間に、操作部４から挟み部５へ向かう方向へ延びる押罫部Ｋを有している。
【００２２】  次に、挟み具１の組み立てについて説明する。
まず、図１に示す展開体の状態から、第一折曲部Ｌ１を谷折りする。この際、第一折曲部Ｌ１は把持板側へ膨出する湾曲した形状であるため、折曲抵抗が高く、把持板が開く方向に弾発力が作用する。また、把持板３は第一折曲部Ｌ１の湾曲に従い短手方向から見て外側へ膨出した湾曲形状となる。
【００２３】  次に、第二折曲部Ｌ２を谷折りして側部を形成する。第二折曲部Ｌ２は操作部４から挟み部５へ向かう方向へ延び、かつ外縁側から内側へ膨出する湾曲した形状であるため、図４（ａ）（ｂ）に示すように、把持板３は湾曲に従い長手方向から見て外側に膨出した湾曲形状となる。
【００２４】  次に、係合板７を谷折りして切り込み同士を係合すれば図２に示す状態となり、右側部６ａ、左側部６ｂを確実に保持することができる。
【００２５】  図３は、組み立てが完成した状態を示す。図４（ａ）は、組み立てが完成した状態であって、把持板が開いた状態の平面図であり、図４（ｂ）は、組み立てが完成した状態であって、把持板が閉じた状態の平面図であって、把持板全体が短手方向及び長手方向から見て外側に膨出した湾曲形状である。
【００２６】  挟み具１を使用するにあたっては、操作部４を握り、挟み部５を開閉することによって対象物を挟むことができる。
【００２７】  このように、本実施形態の挟み具１は、シート部材を折り曲げて組み立てる挟み具であって、連結板２の相対向する方向に第一折曲部Ｌ１を介して把持板３を有し、把持板３は、連結板２側に操作部４と、先端側に挟み部５とを有すものであって、第一折曲部Ｌ１は把持板３側へ膨出する湾曲形状である。このため、直線形状とするよりも折曲抵抗が高く、把持板が開く方向に弾発力が作用して挟み部５の開閉が容易となり、使い勝手がよい。
また、把持板３は第一折曲部Ｌ１の湾曲に従い短手方向から見て外側へ膨出した湾曲形状となり、対象物を挟んだ際の外側への折れ曲がりに対して抵抗する十分な強度を有する。
【００２８】  また、把持板３は、第二折曲部Ｌ２を介して右側部６ａと左側部６ｂとを有するため、対象物を挟んだ際の外側への折れ曲がりに対して抵抗する十分な強度を有する。
【００２９】  また、第二折曲部Ｌ２は操作部４から挟み部５へ向かう方向へ延び、かつ外縁側から内側へ膨出する湾曲形状であるため、把持板３は湾曲に従い長手方向から見て外側に膨出した湾曲形状となり、対象物を挟んだ際の外側への折れ曲がりに対して抵抗する十分な強度を有する。
【００３０】  また、把持板３は、右側部６ａと左側部６ｂとを連結する係合板７を有するため、右側部６ａ、左側部６ｂを確実に保持して対象物を挟んだ際の外側への折れ曲がりに対して抵抗する十分な強度を有する。
【００３１】  また、把持板３は、操作部４から挟み部５へ向かう方向へ延びる押罫部Ｋを有するため、把持板３の外側への折れ曲がりに対して抵抗する十分な強度を有する。
【００３２】  このような構成の挟み具１は、簡単に組み立て可能であって、十分な強度を有し、使い勝手がよく、使い捨てが可能である。
【００３３】  以上、本考案の実施形態について説明したが、本考案はこれに限定されるものではない。例えば、本実施形態では係合板７は長手方向中間部の外端縁を略Ｊ字形状に切り込み、切り込み同士を係合しているが、一方の係合板に係合片を設け、他方の係合板に係合スリットを設けて、係合片を係合スリットに挿入して係合することによっても本実施形態と同様の効果を得ることができる。
また、本実施形態では押罫部Ｋを１本設けているが複数本設けてもよい。
さらに、本実施形態では第一折曲部Ｌ１、第二折曲部Ｌ２は湾曲形状に膨出する形状であるが、略台形状に膨出する形状であってもよい。
【符号の説明】
【００３４】１      挟み具
２      連結板
３      把持板
４      操作部
５      挟み部
６ａ    右側部
６ｂ    左側部
７      係合板
Ｌ１    第一折曲部
Ｌ２    第二折曲部
Ｋ      押罫部
【図１】
0003216926.tif 000003
【図２】
0003216926.tif 000004
【図３】
0003216926.tif 000005
【図４】
0003216926.tif 000006